Podtech/llm-jp-corpus-v4-ja_patent huggingface dataset:
(57)【要約】      （修正有）【課題】簡単に大量生産が可能で、輸送中に損傷しにくい時計を提供する。【解決手段】時計本体８とケースとを備える。ケースの少なくとも一部分が缶詰の缶を複製していることを特徴とし、時計の表面３の覆い蓋を備え、蓋は、金属製で、引いて取り外すように形成される。ケース内には時計本体の取り付け部７が形成され、時計本体には取り付け部に対応する取り付け片９が形成され、取り付け部とそれに対応する取り付け片とは、ねじによる締結又は差し込みコネクタのいずれかである。【選択図】図２
0003168970.tif 000002
【実用新案登録請求の範囲】
【請求項１】
時計本体（８）とケースとを備えた時計であって、
前記ケースの少なくとも一部分が缶詰の缶を複製していることを特徴とする時計。
【請求項２】
前記時計の表面（３）の覆い蓋を備えている請求項１に記載の時計。
【請求項３】
前記蓋は、金属製で、引いて取り外すように形成されている請求項２に記載の時計。
【請求項４】
前記ケース内には前記時計本体の取り付け部（７）が形成され、前記時計本体には前記取り付け部に対応する取り付け片（９）が形成されている請求項１〜３のいずれか１の請求項に記載の時計。
【請求項５】
前記取り付け部とそれに対応する前記取り付け片とは、ねじによる締結又は差し込みコネクタのいずれかである請求項１〜４のいずれか１の請求項に記載の時計。
【請求項６】
前記ケースの縁部（２）と前記時計表面（１５）との間に透明なカバーが設けられている請求項１〜５のいずれか１の請求項に記載の時計。
【請求項７】
前記時計の表面（１５）は、交換可能なように前記蓋（１４）と前記時計本体との間に締め付けられている請求項１〜６のいずれか１の請求項に記載の時計。
【請求項８】
前記時計本体の反対側には、取り付け凹部（１３）又は取り付けフック又は磁石部品の形式の留め具が設けられている請求項１〜７のいずれか１の請求項に記載の時計。
【請求項９】
前記時計本体の反対側に展開式スタンド（１２）を備えている請求項１〜８のいずれか１の請求項に記載の時計。
【請求項１０】
リム（１）が積層された厚紙により形成されている請求項１〜９のいずれか１の請求項に記載の時計。
【考案の詳細な説明】
【技術分野】
【０００１】
本考案は、簡単に大量生産可能で非常に強い性質を有することで特徴づけられた、ケースを備えた時計に関し、より詳細には、本考案は、時計本体と一部分がブリキ缶を複製しているケースとを備えた時計に関する。
【背景技術】
【０００２】
一般に、缶の製造手順は周知であり、広く使用されている。
【考案の概要】
【考案が解決しようとする課題】
【０００３】
ケースとして缶を使用する原理により時計本体をうまく保護することができる。
【課題を解決するための手段】
【０００４】
好ましくは金属製蓋の覆い蓋は、輸送中の損傷を防止し、時計の表面を保護する。これは簡単に引いて取り外せるように設計されている。
【０００５】
前記ケースの内部に前記時計本体の取り付け部を設けると共に、前記時計本体の対応する位置に取り付け片を設けることにより、前記取り付け部は外部の損傷に対して保護される。
【０００６】
前記取り付け部及びそれに対応する前記取り付け片は、ねじによる締結又は差し込みコネクタのいずれかにより形成されている。
【０００７】
時計の針は、前記ケースの縁部と時計の表面との間に配設された透明なカバーにより保護することができる。これにより、前記時計の表面は、好ましくは、交換可能であり、前記透明なカバーと前記時計本体との間に締め付けられている。
【０００８】
前記時計の表面の反対側を意味する前記時計本体の反対側には、取り付けフック又は凹部の形式、及び又は磁石部品の形式の留め具が特に設けられている。また、その反対側には、さらに又は代わりに、展開式スタンドを取り付けることができる。
【０００９】
前記ケースの外側のカバーが、厚紙、特に積層された厚紙から製造されている場合には、製造コストの削減を達成することができる。
【図面の簡単な説明】
【００１０】
【図１】蓋を有する時計の外観を示す図である。
【図２】ケース及び時計本体の後方斜視図である。
【図３】カバー及び時計本体の後方斜視図である。
【図４】時計本体の前方斜視図である。
【考案を実施するための形態】
【００１１】
添付した図面は本考案を実施するための最良の実施形態について説明している。
【００１２】
図１によれば、本考案の実施の形態に係る時計は、引いて取り外す蓋３とリム１を有する市販の公知な円筒形状の缶により形成されている。蓋３は引っ張りリング４を有するように設計された金属製蓋である。この金属製蓋３は縁部２とリム１によって通常の方法で結合されている。
【００１３】
図２は、時計本体８を有するケースの後方斜視図である。ケースの内部には、取り付け
凹部を有する内側リング６が形成された取り付け部が設けられている。時計本体８は取っ手の形状の対応する取り付け片９を備えており、これは取り付け凹部７に係合可能であり、差し込みコネクタを形成する。通常の時計機構は時計本体に収容可能であり（図示せず）、磁石１０又は凹部１３の形式で取り付けエレメントが時計の表面の反対側を意味する反対側に示されている。さらに、図２は電池収納部１１の取り外し可能なカバーを示している。
【００１４】
時計本体の後側縁部５はケースの縁部２に対応する部分である。
【００１５】
図３は、時計本体８の近くに透明なカバー１４を示している。
【００１６】
図４は、時計本体と時計の表面と針１６の前方斜視図である。針１６は、パネルとして示されている時計の表面１５が交換可能であるため、取り外し可能である。
【００１７】
時計を組み立てるため、時計本体８に覆い蓋１４が配置され、覆い蓋１４のリムは時計の表面及び時計本体８を一緒に固定するようになっている。その後、前記覆い蓋を有する前記時計本体を前記ケース配置し、リム５に固定することにより差し込み固定で一緒に固定する。
【００１８】
最終消費者は、蓋３を取り外すことにより時計を開けることができ、その結果、要求によって時計の表面を交換する可能性もある。
【図１】
0003168970.tif 000003
【図２】
0003168970.tif 000004
【図３】
0003168970.tif 000005
【図４】
0003168970.tif 000006
(57)【要約】      （修正有）【課題】イヤホン本体にピアスなどの装飾品を取り付けられる取付孔を設けたイヤホンを提供する。【解決手段】ヘッド１とコード５の保持部が一体化されたような形状のイヤホンにおいて、コード保持部に相当する部分を支軸部２とし、支軸部の末端（コードの挿入口）辺に小さな耳たぶ状のピアス取付部３を１個又は複数個設け、各取付部にピアスなどの装飾品を取り付けられる程度の小さな取付孔４を設ける。以上の構成よりピアスを取り付ける取付孔４のあるイヤホンとする。【選択図】図１
0003168940.tif 000002
【実用新案登録請求の範囲】
【請求項１】
ヘッドとコード保持部が一体化されたような形状のイヤホンにおいて、コード保持部に相当する部分を支軸部とし、支軸部の末端（コードの挿入口）辺に小さな耳たぶ状のピアス取付部を１個又は複数個設け、各取付部にピアスなどの装飾品を取り付けられる程度の小さな取付孔を設けたことを特徴とするピアスを取り付ける取付孔のあるイヤホン。
【考案の詳細な説明】
【技術分野】
【０００１】  本発明は、イヤホン本体にピアスなどの装飾品を取り付けられる取付孔を設けたものである。
【背景技術】
【０００２】  従来、イヤホン本体の背面に人形を設けたもの等が知られている（特許文献１参照）。
【先行技術文献】
【０００３】
【特許文献１】  登録実用新案第３０２４４１６号公報
【考案の概要】
【考案が解決しようとする課題】
【０００４】  ピアスなどの装飾品は、直接肌に触れる、耳に穴を開けなくては使用できないなどという性質のため、肌の弱い人、金属アレルギーの人などは使用出来ないという問題点があった。
また、イヤホン本体に人形を設けたものは、耳飾りの代用として、耳元の寂しさをカバーすることはできるが、自分の好みのイヤリングやピアスなどとは違うので、不満足である。
本発明は、以上の問題点を解決するためになされたものである。
【課題を解決するための手段】
【０００５】  ヘッドとコード保持部が一体化されたような形状のイヤホンにおいて、コード保持部に相当する部分を支軸部とし、支軸部の末端（コードの挿入口）辺に小さな耳たぶ状のピアス取付部を１個又は複数個設け、各取付部にピアスなどの装飾品を取り付けられる程度の小さな取付孔を設ける。
以上の構成よりなるピアスを取り付ける取付孔のあるイヤホンである。
【考案の効果】
【０００６】  従来一部の人しか使用できなかったピアスなどの装飾品を、本発明によりイヤホンと一体化もしくは、イヤホンやコードに取り付ける機能を持たせることで、多くの人が使用できると共に、各自の選択した、その時々の好みのピアスなどの装飾品を取り替えることができる。
本発明は、当然にもピアスなどの装飾品を外せば通常のイヤホン専用として使用するのに、何の支障も生じない。
【図面の簡単な説明】
【０００７】
【図１】  本発明の斜視図
【図２】  本発明の一部であるピアス取付部を分離型にした場合の実施例を示す斜視図
【考案を実施するための形態】
【０００８】  以下、本発明の実施の形態を説明する。
ヘッド（１）とコード（５）保持部が一体化されたような形状のイヤホンにおいて、コード（５）保持部に相当する部分を支軸部（２）とし、支軸部（２）の末端（コードの挿入口）辺に小さな耳たぶ状のピアス取付部（３）を１個又は複数個設け、各取付部にピアスなどの装飾品を取り付けられる程度の小さな取付孔（４）を設ける。
本発明は以上のような構造である。
本発明を使用するときは、支軸部（２）のピアス取付部（３）にある取付孔（４）にピアスやイヤリングなどの装飾品を取り付ける。
また、支軸部分（２）をヘッド（１）から分離し、一般のイヤホンに付け外し可能にしてもよく、その場合はピアス取付部（３）の他端にコード（５）を挟みこむ結合部（６）を設け、そこにコードを挟みいれるようにする。
【符号の説明】
【０００９】１  ヘッド、    ２  支軸部、    ３  ピアス取付部、    ４  取付孔、
５  コード、    ６  結合部
【図１】
0003168940.tif 000003
【図２】
0003168940.tif 000004
(57)【要約】      （修正有）【課題】雨の時でも窓を少し開けて換気できるように、網戸に取り付けて使用する雨よけを提供する。【解決手段】網戸の上下の枠４に取り付け金具２を介して、雨よけ本体１を網戸面より屋外側に来るように、ネジ３等で取り付ける。雨よけ本体１の幅は、網戸の幅より狭く、かつ、換気時に開ける窓の開口幅より大とする。【選択図】図２
0003168941.tif 000002
【実用新案登録請求の範囲】
【請求項１】
雨よけ本体を網戸の枠より幅を狭くして、雨よけの上と下の部分を、取付金具で、網戸を挟みながらネジで固定する特徴の雨よけ。
【考案の詳細な説明】
【技術分野】
【０００１】  本考案は、網戸に取り付ける雨よけに関するものである。
【背景技術】
【０００２】  網戸で換気をしている場合、雨が降ると窓を閉めていた。
【考案の概要】
【考案が解決しようとする課題】
【０００３】  気温の高い時など雨が降る度に窓を閉めると、エアコン使用により節電できない。さらに、熱中症の可能性もある。従って、雨の時でも窓を少し開けることにより前述の点を解決しようとするものである。
【課題を解決するための手段】
【０００４】  本考案は、雨よけを網戸の枠より幅を狭くして、網戸の上下に取り付けることにより問題点を解決する。
【考案の効果】
【０００５】  上述のように、本考案の雨よけを取り付けることにより、雨の時でも窓を少し開ける事は勿論、雨よけの幅を狭くすることにより、網戸の幅に対応でき、風の抵抗を少なくするのに役立つ。
【図面の簡単な説明】
【０００６】
【図１】本考案の雨よけの実施例を示す正面図である。
【図２】本雨よけの一部断面図である。
【考案を実施するための形態】
【０００７】  雨よけ本体を屋外側にし、取付金具で上下を網戸の枠を挟み、網の部分で本体と金具をネジで固定する。
【実施例】
【０００８】  以下、添付図面に従って一実施例を説明する。１は耐久性のプラスチックス等適宣素材にて形成された雨よけ本体で、２の取付金具を３のネジで固定する。
【符号の説明】
【０００９】  １  雨よけ本体
２  取付金具
３  ネジ
４  網戸の枠
５  網
【図１】
0003168941.tif 000003
【図２】
0003168941.tif 000004
(57)【要約】      （修正有）【課題】法面保護、土壁保護に使用する土のうを角型の二重構造する事で強靭性、耐侯性及び耐腐蝕性に対応する強固な土のう篭を提供する。【解決手段】土のう篭本体１は、角型金網収納部２と内部に入れる繊維製の角型織成収納部３とによって二重に構成する。さらに、内部に土砂、石材を注入し、且つ該角型金網収納部と角型織成収納部に各々同様の構成材料の金網蓋体６と織成蓋体９とを各々開閉自在に接続して、二重護壁用土のう篭を構成する。【選択図】図２
0003168942.tif 000002
【実用新案登録請求の範囲】
【請求項１】
土のう篭本体（１）は、角型金網収納部（２）と内部に収納する角型織成収納部（３）とより二重に構成され、該角型金網収納部（２）は、鉄線に塩化樹脂をコーティングした金網篭体（５）と開閉自在の金網蓋体（６）とを接続部（７）を以って開閉自在に形成し、該角型織成収納部（３）には、ポリプロピレン繊維よりなる織成篭体（８）と開閉自在の織成蓋体（９）とを縫着部（１０）を以って接続したことを特徴とする二重護壁用土のう篭。
【考案の詳細な説明】
【技術分野】
【０００１】  本考案は、法面保護、のり止め工法、河川、海岸等ののり覆工法及び仮設道路、仮締切堤等に使用する二重護壁用土のう篭に関するものである。
【背景技術】
【０００２】  従来この種の土のう篭にあっては、各種の糸条を編成したかご状のものに土砂等を注入して並設するか、高く積み上げて護壁として使用するものである。また、同様な目的で金網をかご状に形成したものに石詰めしたものを護壁として使用している現状である。
【考案の概要】
【考案が解決しようとする課題】
【０００３】  従来の技術で述べたもののうち、前者における織布製でバッグ状に製作したものでは、土のうとして耐久が不足したり、紫外線劣化による破裂等の欠点がある。
また、後者における金網を以ってかご状に形成したものでは、詰めることの出来る石に規格があり、土砂や礫等を詰めることが出来ないため、充填する材料には制約があると云う欠点がある。
本考案は、上記従来の技術における問題点を解決するもので、その目的とする所は、土のう篭を鉄線メッシュで角型に形成した金網収納部と、その角型の内側に角型の袋状に織成縫付された角型織成収納部を入れて二重構造として、強度を著しく向上させると共に、現地発生土及び砕石等を中詰め材料として便利に使用出来る。また、石詰めとして大型耐侯性の土のうとしても使用できると共に、中詰め材料の土に種子類を混合して苗等を植栽して緑化も可能となる従来のものより著しく優れた二重護壁用土のう篭を提供しようとするものである。
【課題を解決するための手段】
【０００４】  上記の目的を達成するために、本考案における二重護壁用土のう篭は、土のう篭本体は、角型金網収納部と内部に二重にするための繊維を高強度に編み上げた角型織成収納部とより二重構造としたものである。
また、該角型金網収納部には、上面に開閉自在に金網蓋体を取付け、また、角型織成収納部にも上面に織成蓋体を開閉自在に取付けたものである。
【考案の効果】
【０００５】  本考案は、以上の如く構成されているので、角型金網収納部と角型織成収納部との二重に構成されているので、従来の金網収納部のみのもの及び織成収納部のものと比較して、強度性、重圧性、耐侯性及び耐腐蝕性にも著しく優れる効果がある。
また、土のう篭本体を二重に構成したことにより、現地発生した土及び砕石等を中詰め材料として使用出来る便利な効果と、中詰め材の土に種子を混ぜたり、ポット苗等を植栽することで、緑化も可能となる効果もある。
さらに、該角型金網収納部の中に入れる角型織成収納部の構成材料を耐紫外線加工されたポリプロピレン繊維で編み上げたので、高強度耐侯性を有すると共に、外枠の鉄線メッシュの強度を補強する効果がある。
また、該角型織成収納部は、優れた通水及び排水性を有し、水分を含んだ土壌の充填も可能である効果もある。
【図面の簡単な説明】
【０００６】
【図１】  本考案の土のう篭本体を多数並設した状態を示した斜面図である。
【図２】  同じく二重に構成された土のう篭本体を開放した状態の斜面図である。
【図３】  本考案の外側の角型金網収納部の金網蓋体を開放した状態の斜面図である。
【図４】  本考案の内側に入れる角型織成収納部の織成蓋体の開放した状態の斜面図である。
【考案を実施するための形態】
【０００７】  上記のように構成された二重護壁用土のう篭によれば、図１に示す如く、内部に土砂等を入れ、これを保護法面又は護壁面等に並列又は直列に連続連結又は段積み施工する事によって、通水及び排水に優れ、また、二重であるので、容易に破損等が生ずる事なく、法面の保護、護壁面及び河川、海岸ののり覆工を施工する事によって、風雨等の自然に対しても充分に脱水機能を発揮して護壁及び護岸等の役目を充分に果すものである。
【実施例】
【０００８】  実施例について図面を参照して説明すると、図１において、土のう篭本体（１）（１）に土石、砕石等を入れて各種の保護法面（１２）に多数並設する。または、数個の土のう篭本体（１）（１）を縦方向に数段積み上げて施工するものである。
該土のう篭本体（１）は、図３に示す如く、角型金網収納部（２）と、図４に示す、内部に入れる角型袋状の角型織成収納部（３）との二重構造しよって構成使用されている。
図２に示すものは、該角型金網収納部（２）の内部に角型織成収納部（３）を入れた状態で、金網蓋体（６）と織成蓋体（９）を一緒に開蓋したものである。【０００９】  次に、該角型金網収納部（２）は、図３に示す如く、鉄線メッシュにメッキ、もしくは樹脂によってコーティングされ、且つ亀甲状の金網を使用し、目動きが少なく、はずれ等を防止し、金網の１本が断線した場合の連続破断が起きるのを防止したものである。
また、該角型金網収納部（２）は、金網篭体（５）には、上部に金網蓋体（６）を接続部（７）によって開閉自在に取付けてある。【００１０】  図４に示すものは、該角型金網収納部（２）の内部に入れる該角型織成収納部（３）で、その構成材料として、耐紫外線加工されたポリプロピレン繊維を高強度に編み上げたジオテキスタイルを四角に縫製したものである。
また、該角型織成収納部（３）には、四角状の織成篭体（８）と、上面に同様な材料よりなるポリプロピレン繊維よりなる織成蓋体（９）を縫着部（１０）によって開閉自在に装設してある。
なお、本考案は、金網と繊布との二重構造としたので、石詰め、土詰め等が可能のため、法面保護、のり止め工、河川、海岸ののり覆工、仮設道路及び防災害復旧等の各種の用途に使用可能となるものである。
【符号の説明】
【００１１】１            土のう篭本体
２            角型金網収納部
３            角型織成収納部
５            金網篭体
６            金網蓋体
７            接続部
８            織成篭体
９            織成蓋体
１０          縫着部
【図１】
0003168942.tif 000003
【図２】
0003168942.tif 000004
【図３】
0003168942.tif 000005
【図４】
0003168942.tif 000006
(57)【要約】      （修正有）【課題】塵出し処で烏の塵漁りを止めることと、塵を煩雑に置かれる事を防止する柵を提供する。【解決手段】鉄製で内部が空洞である前方架台部１と内部が砂利を封入してなる後方架台部２の両端を溶接の蓋をなしてなるも中央上面に曲折上面３を有する鈑金４を垂直溶接５する。この烏の塵漁り防止柵を連接して設置し、ゴミ袋を捨て置き、防鳥ネットを掛ける。【選択図】図１
0003168926.tif 000002
【実用新案登録請求の範囲】
【請求項１】
鉄製で内部が空洞である前方架台部と内部が砂利を封入してなる後方架台部の両端を溶接の蓋をなしてなるも中央上面に曲折上面を有する鈑金を垂直溶接して構成した事を特徴とする塵出し処で烏の塵漁り防止柵。
【考案の詳細な説明】
【技術分野】
【０００１】  本考案は、塵出し処に於いて塵が煩雑に置かれる事を防止する柵に関するものである。
【背景技術】
【０００２】  塵出し処は、集収以外日に、塵が出る事が多々ある。
また通常、烏ネットがあるが、塵が煩雑に置かれ烏が食品屑を食べ漁り歩道・鋪道を汚す事がある。
【考案の概要】
【考案が解決しようとする課題】
【０００３】  烏ネットの内部側に塵処理を為しても烏はネット内部より、くちばしで巧みに食品屑を漁る。これを防止するための柵である。及び塵出し処の美的感覚と衛生観念を保持しようとするものである。
【課題を解決するための手段】
【０００４】  本考案は、曲折した上面を有する薄鈑で形成された長手の盤の下端に架台を設置してなる。なお架台は、前方架台と後方架台からなる。これは角パイプ構成であり、前方架台は内部が空洞であり後方架台は内部に砂利・砂を封入して成るも、両端は蓋を形成してなる。
【考案の効果】
【０００５】  上述の様に、本考案塵出し処で、烏の塵漁り防止柵は、烏を寄せ付けない。及び塵を柵の内側に閉じ込める故に美的であり衛生的である。
また防鳥ネットを掛ければ目的が達成する。
【図面の簡単な説明】
【０００６】
【図１】本考案塵出し処で烏の塵漁り防止柵の図であり右側に後方架台の内部に砂利・砂を封入した事を図示した。
【図２】防鳥ネット内に柵Ａ柵Ｂ柵Ｃを連接置し、塵を囲んだ実施図。
【考案を実施するための形態】
【０００７】  通常、長さ９００ｍｍ・肉厚２、３ｍｍで６０ｍｍ角の鉄製前方架台部は内部が空洞である。同様の後方架台部の内部に砂利を封入して、前方架台より重量を数倍たとえば５倍位重く構成し、両端を溶接で蓋をする。両架台の中央上面に、曲折上面を有する高さ約２５０ｍｍの鈑金を垂直溶接する。
【実施例】
【０００８】  以下、添付図面に従って一実施を説明する。
前方架台部１と後方架台部２の上面中央に曲折上面３を有する鈑金４を垂直溶接５してなる。尚、後方架台部の内部６に砂利７を封入する。前方架台部の内部８は空洞である。【０００９】  ブロック壁等に設置した横棒９より下がっている防鳥ネット１０の内側に本考案塵漁り防止柵ＡＢＣを連接置きなして、その中側にゴミ袋１１を捨て置く。【００１０】  柵ＡＢＣがある故に烏に塵漁りをさせないゆえに塵出し処が奇麗である。【００１１】  架台は青色塗装・鈑金は黄色塗装・曲折上面を赤色塗装となして交通信号色とする事により、人間心理が働き、不法投げ捨てを無くす。【００１２】  前方架台部に対し後方架台部が数倍の重量があるゆえに、まえ方に倒れない効果を有する。
【符号の説明】
【００１３】  １  前方架台部
２  後方架台部
３  曲折上面
４  鈑金
５  垂直溶接
６  後方架台部の内部
７  砂利
８  前方架台部の内部
９  横棒
１０  防鳥ネット
１１  ゴミ袋
Ａ  塵漁り防止柵
Ｂ  塵漁り防止柵
Ｃ  塵漁り防止柵
【図１】
0003168926.tif 000003
【図２】
0003168926.tif 000004
(57)【要約】      （修正有）【課題】効率的な測定・マーキングなどを行うことができる物差し・分度器付き下敷きを提供する。【解決手段】不透明シート表面に彩色で方眼、放射線および同心円を印刷し、一定間隔で線幅を変化させ、最外周に目盛りを加える。【選択図】図１
0003168928.tif 000002
【実用新案登録請求の範囲】
【請求項１】
不透明シート表面に明確な彩色で方眼と、放射線、及びその交点を中心とする同心円を作図、印刷し、方眼と放射線と同心円は一定度間隔で線幅を変化させ、更に方眼の最外周と上下・左右の中心線上に寸法目盛、及び同心円の最外周に角度目盛を加えたことを特徴とする物差し・分度器付き下敷き。
【請求項２】
物差しと分度器を不透明シートの同一面に印刷する際に、それぞれ線及び目盛の色を変えて明確に区別した請求項１に記載の物差し・分度器付き下敷き。
【請求項３】
印刷面を0.5ｍｍ以下の厚さの樹脂製透明シートでカバーし、印刷インク面を摩耗や傷から保護することを目的とする請求項１〜２に記載の物差し・分度器付き下敷き。
【請求項４】
製品用途により２枚の透明シートで不透明シートをはさむ差替え式とする場合を考慮し、不透明シートを２枚又は１枚で両面印刷し、表裏２面で多様な物差しの仕様とする請求項１〜３に記載の物差し・分度器付き下敷き。
【考案の詳細な説明】
【技術分野】
【０００１】
本考案は直線的な寸法や角度を測ることを主目的とする物差し及び分度器に関する。
【背景技術】
【０００２】
従来の物差し・分度器はそれ自体が透明で被測定物の上に重ねることで目盛を読む。また従来の物差しは一度に２点間の距離を直線的に１回しか測定できない。
【０００３】
物差しと分度器は全く異なる形状で、単体の製品として両方を兼ね備えられない。従って長さ・距離を測りながら同時に角度も測定することはできない。
【先行技術文献】
【特許文献】
【０００４】
特開２００９−１６６４６７号
【考案の概要】
【考案が解決しようとする課題】
【０００５】
同一平面上にあり一定の角度で交わる、複数の線分の特定部分間距離及び角度を少ない操作回数で読み取れること。
【０００６】
長さ・距離及び角度を測定するだけでなく、あらかじめ設定された寸法にマーキングする作業を無理のない力と少ない操作回数で実現すること。
【課題を解決するための手段】
【０００７】
Ｂ５判ノート以上の大きさの不透明シート表面に明確な彩色で５ｍｍ方眼と、５度間隔の放射線、及びその交点を中心とする５ｍｍ間隔の同心円を作図し印刷する。なお方眼は10ｍｍ及び50ｍｍ及び100ｍｍ間隔、放射線は10度及び90度間隔で線幅を変化させる。更に方眼の最外周と上下・左右の中心線上に１ｍｍ間隔の寸法目盛、及び同心円の最外周に１度間隔で全周360度の角度目盛を加える。以上を物差し・分度器としての本考案の要件とする。
【０００８】
方眼状の物差し部分と分度器部分は同一面に印刷するため、彩色を変えて明確に区別させる。
【０００９】
不透明シートの印刷面は、更に0.5ｍｍ以下の厚さの樹脂製透明シートでカバーし、傷や摩耗から保護する。
【００１０】
透明シートは圧着固定する場合と、２枚の透明シートで不透明シートをはさみ差替え式とする場合の両方を考慮する。
【考案の効果】
【００１１】
本考案により例えば長方形の縦横方向の長さ、２点が直角の台形の各辺の長さと２辺の成す角度などは、たった一度の被測定物の取り回し操作で測ることができる。複雑な形状に対する測定・マーキングなどにおいてもより少ない取り回し操作で済む。
【００１２】
従来の物差しまたは分度器（以後スケールと呼ぶ）では片手でマーキングのためのペンなどを持ってしまったら、もう一方の手はスケールと被測定物の両方を動かないように保持しておかねばならなかったが、本考案では被測定物を押さえる力で同時にスケールも押さえつけられるので、スケールの取り回しが楽になる。
【００１３】
片面のみ不透明シートと透明シートを圧着固定すれば片面スケールの下敷きとなる。不透明シートに両面印刷し、表裏とも透明シートを圧着固定すれば両面で異なるスケールを持った下敷きとなる。
【００１４】
２枚の透明シートを圧着固定せず、不透明シートをはさむ形とし、表裏２面を使った多様なスケールの仕様とする展開も可能となる。
【図面の簡単な説明】
【００１５】
【図１】図１はスケールの基本図面である。（実施例）
【実施例】
【００１６】
図１のように方眼スケールを黒、図ではグレーで示した分度器スケール部分を赤で印刷し明瞭に区別する。
【図１】
0003168928.tif 000003
(57)【要約】      （修正有）【課題】高温超電導バルク材のマイスナー効果とピン止め効果を目で見て、理解する事ができる実験装置を提供する。【解決手段】鉄の平板の表面に３条の溝を刻み、その一番外側の溝の中に上にＮ極を持つ磁石を並列に並べ、真中の溝に中に上がＳ極を持つ磁石を並列に並べ、最後の外側の溝には上がＮ極を持つ磁石を並列に並べる。このＮ、Ｓ、Ｎと磁石を並べる事により磁場のレールが引かれ、高温超電導バルク材はその上に乗って動いてゆく。またこの鉄板を横面、さらにひっくり返して下面にしても高温超電導バルク材は引力に反して落ちることなく滑るように走ってゆく。この事はマイスナー効果とピン止め効果によって動かされている証明である。【選択図】図４
0003168925.tif 000002
【実用新案登録請求の範囲】
【請求項１】
鉄の平板の表面に数条の凹型の溝を刻み、その溝の中に磁石を貼り付けてなる鉄製レール。
【考案の詳細な説明】
【技術分野】
【０００１】超電導のマイスナー効果とピン止め効果の実証を見られる実験装置
【背景技術】
【０００２】近年高温超電導バルク材の発明がなされてから、そのいろいろな効果については、学問の中で究明されてきていて、理論的には説明されていてもその効果を目で見たり、実験で証明したりするのは難しい物があった。また一般の人々に興味をもって見ていただくのには簡単な実験装置を提供する必要があった。
【考案が解決しようとする課題】
【０００３】高温超電導バルク材のマイスナー効果及びピン止め効果を簡単な実験装置によって目でみながら理解してもらう事にある。
【課題を解決するための手段】
【０００４】本考案では鉄の平板の表面に数条の凹型の溝を刻みこみ、その溝の中に磁石を埋め込むことにある。
【実施例】
【０００５】鉄の平板の表面に三本の溝を刻みこみ、一番外側の溝にはＮ極を上にもつ角型の磁石を並列に並べてゆき、真中の溝にはＳ極を上にもつ角型の磁石を並列に並べてゆく。それぞれの磁石は溝の中にある事により、お互いに干渉しあわず、並べてゆく事ができる。３列目には同じようにＮ極を上にもつ磁石を並列にならべたとすると、鉄の平板の上には３列の磁石のレール状のものができる。この上に冷却された高温超電導バルク材を乗せて見ると、３列の磁力の山の上に乗っかるように浮上する。少し力を与えてやると、高温超電導バルク材はすべるようにレール状の磁石の上を滑走してゆく。さらに本考案の鉄製レールは高温超電導バルク材が磁石の上を滑走するだけでなく、鉄製レールを横向きにしても横面を滑るし、反対に下向きにしても落ちないで滑ってゆく。これは重力の法則に反するもので、ピン止め効果で説明するより他にない。
【図１】
0003168925.tif 000003
【図２】
0003168925.tif 000004
【図３】
0003168925.tif 000005
【図４】
0003168925.tif 000006
【手続補正書】
【提出日】平成23年5月13日(2011.5.13)
【手続補正２】
【補正対象書類名】明細書
【補正対象項目名】全文
【補正方法】変更
【補正の内容】
【考案の詳細な説明】
【技術分野】
【０００１】  最近になって超電導バルク材はいろいろな分野に使われるようになってきているが、最大のものとしてはリニアモーターカー（磁気浮上列車）や医療分野にＭＲＩがある。この磁気浮上列車に使われている浮上するという効果（あのような重い車体を浮上させ、動かせる超電導バルク材の性質とは何？）【０００２】このような高温超電導材の発明がなされてから、そのいろいろな効果については、学問の中で究明されてきていて、理論的には説明されていてもその効果を実際に目でみたり、実験で証明したりするのには難しいものがあった。そしてはっきりとわかっている効果面とまだ不明な部分が多くあるのも現状である。まして一般の人々に興味や関心をもっていただくには、簡単な実験装置を提供する必要があった。
【考案が解決しようとする課題】
【０００３】高温超電導バルク材の効果の一つであるマイスナー効果、及びピン止め効果を簡単な実験装置によって目でみながら理解してもらうことにある。
【課題を解決するための手段】
【０００４】本考案では鉄の平板の表面に数条の凹型の溝を刻みこみ、その溝の中に磁石を埋め込んだ鉄製のレールを構成し、この上にレールの上に高温超電導バルク材を乗せると磁石の磁気により、高温超電導バルク材は浮上します。どうして浮上したままでいられるのか？レールの外側に落ちてしまわないのか？このことは高温超電導バルク材のもつマイスナー効果とピン止め効果で説明ができます。
【実施例】
【０００５】鉄の平板の表面に三本の溝を刻みこみ、一番外側の溝にはＮ極を上にもつ角型の磁石を並列に並べてゆき、真中の溝にはＳ極を上にもつ角型の磁石を並列に並べてゆく。それぞれの磁石は溝の中にある事により、お互いに干渉しあわず、並べてゆく事ができる。３列目には同じようにＮ極を上にもつ磁石を並列にならべたとすると、鉄の平板の上には３列の磁石のレール状のものができる。この上に冷却された高温超電導バルク材を乗せて見ると、３列の磁力の山の上に乗っかるように浮上する。少し力を与えてやると、高温超電導バルク材はすべるようにレール状の磁石の上を滑走してゆく。さらに本考案の鉄製レールは高温超電導バルク材が磁石の上を滑走するだけでなく、鉄製レールを横向きにしても横面を滑るし、反対に下向きにしても落ちないで滑ってゆく。これは重力の法則に反するもので、ピン止め効果で説明するより他にない。
【図面の簡単な説明】
【０００６】
【図１】鉄レール断面図
【図２】鉄レールに磁石をのせた断面図
【図３】鉄レール平面図
【図４】鉄レールの溝に磁石をはめた平面図
(57)【要約】      （修正有）【課題】粉状飲食物を封入し、混ぜ棒として使用するチューブ状容器を提供する。【解決手段】インスタントコーヒーや砂糖など粉状飲食物４を耐水性紙又はプラスチックで作ったチューブ状の筒１に封入する。喫飲時には、上記粉飲食物４をコップ３の湯６の中にとかし、上記のチューブ状の筒１でかきまぜる。チューブ状のために、コップの湯の中で上下すると湯がチューブの内側まで入ってきて、全てを溶かすことができる。  更にチューブを混ぜ棒として使うことができるので別に混ぜ棒を用意する必要がなく、混ぜた後はそのまま破棄できる。【選択図】図１
0003168923.tif 000002
【実用新案登録請求の範囲】
【請求項１】
耐熱耐水で粉状飲食物を封入できるチューブであり、それがそのまま混ぜ棒として使用できる容器。
【考案の詳細な説明】
【技術分野】
【０００１】本考案は粉状飲食物を封入し、混ぜ棒として使用するチューブ状容器に関するものである。
【技術背景】
【０００２】粉状飲食物は袋状のものに封入され、使用時に破られるとそのまま捨てられており、さらに混ぜるときに他のスプーン、混ぜ棒を必要とした。
【考案の概要】
【考案が解決しようとする課題】
【０００３】インスタントコーヒー／砂糖／スープ等の粉状飲食物を袋から出すとき、粉が袋の内側に張り付いたり、袋の折り目について全てを取り出すことができない。  袋は捨てることになるが、混ぜるための混ぜ棒が必要で一回の使用でこれも捨てることになる。
【課題を解決するための手段】
【０００４】袋をやめて、耐水紙もしくはプラスティックで作ったチューブ状の筒に封入する。
【考案の効果】
【０００５】チューブ状のために、コップの湯の中で上下すると湯がチューブの内側まで入ってきて、全てを溶かすことができる。  更にチューブを混ぜ棒として使うことができるので別に混ぜ棒を用意する必要がなく、混ぜた後はそのまま破棄できる。
【図面の簡単な説明】
【０００６】
【図１】チューブ本体の立体図
【図２】袋の問題点をあらわす図
【図３】チューブの使用方法の図
【符号の説明】
【０００５】１  耐水・耐熱チューブ（紙／プラステック製）
２  封入シール
３  コップ
４  粉状飲食物
５  袋（アルミ二ウム製等一般の飲食物用袋）
６  お湯
７  混ぜ棒
【図１】
0003168923.tif 000003
【図２】
0003168923.tif 000004
【図３】
0003168923.tif 000005
(57)【要約】      （修正有）【課題】遮光性と遮断熱性効果に優れた遮断熱材ブラインドを提供する。【解決手段】羽根やスクリーン式のブラインドにおいて、基材の外側面に、遮断熱材を貼り合わせる。【選択図】図１
0003168916.tif 000002
【実用新案登録請求の範囲】
【請求項１】
羽根やスクリーン式等の従来のブラインドの型を保持しつつ、それらブラインドの基材の外側面に、光や熱の反射性だけでなく、温熱や冷熱を保持する性質を併せ持った（公序良俗違反につき、不掲載）遮断熱材を貼り合わせたことを特徴とする遮断熱材ブラインド。
【考案の詳細な説明】
【技術分野】
【０００１】  本考案は、遮断熱材ブラインドに関するものである。
【背景技術】
【０００２】  従来の羽根やスクリーン式のブラインドは、アルミ二ウムやプラスチック、布や木製などの素材で作られていた。
なお、断熱を目的としたものとしては、遮光フィルムが表裏面に貼付されたもの（特許文献１参照）や、特殊な反射断熱塗料で塗装されたもの（特許文献２参照）、また、ビニール面を持ったレースカーテンで窓ガラスとの間に空気層をつくることで断熱性を期待したもの（特許文献３参照）等が知られている。
【先行技術文献】
【０００３】
【特許文献１】  特許公開２０００−１３６６８０号広報
【特許文献２】  登録実用新案第３０６７４１６号広報
【特許文献３】  特許公開２００６−１５８５５９号広報
【考案の概要】
【考案が解決しようとする課題】
【０００４】  遮光性、断熱性を目的とした様々な素材のブラインドがあるが、その効果は充分とは言えない。アルミ二ウム製は、遮光性には優れているが、断熱効果は劣る。プラスチック製は、ある程度の遮光性はあるが、色が薄いと光が漏れてしまうし、断熱効果も期待出来ない。布製や木製では、インテリア性はあるが、充分な遮光性と断熱効果は期待出来ない。また、遮光性や反射性を利用する断熱方法は、外からの太陽の光熱の侵入を防ごうとするものだが、冬には逆効果であり、また、内部の冷熱を逃がさないで保温効果を得る目的には適さず、必要に応じて外からの冷熱の侵入を防いだり、内部の熱を逃がさないようにしたり、両用の熱遮断を行なうことは出来ない。
本考案は、以上の問題点を解決するためになされたものである。
【課題を解決するための手段】
【０００５】  羽根やスクリーン式等の従来のブラインドの型を保持しつつ、それらブラインドの基材の外側面に、光や熱の反射性だけでなく、温熱や冷熱を保持する性質を併せ持った（公序良俗違反につき、不掲載）遮断熱材を貼り合わせる。  以上の構成よりなる遮断熱材ブラインド。
【考案の効果】
【０００６】  この考案の最大の特徴は、インテリア性を損なったり、部屋の雰囲気を壊したりすることなく、遮光性、断熱性、目隠し等の効果に優れていることであり、夏の強い日差しと熱を防ぎ、冬は厳しい冷気を防ぐことができる。
【図面の簡単な説明】
【０００７】
【図１】  本考案の一例である羽根型ブラインドの斜視図
【考案を実施するための形態】
【０００８】  以下、本考案の実施の形態を説明する。
羽根型ブラインドに於いては、遮断熱材（１）と従来の素材（２）とを貼り合わせた羽根を数枚設けた本体（３）であり、スクリーン式のブラインドに於いては、片面に遮断熱材（１）、反対面に従来の素材（２）を貼り合わせる。
本考案は以上のような構造である。
本考案を使用するときは、通常の羽根型、スクリーン式のブラインドと同じように操作すればよく、ブラインド角度等の微調節により、適度な光と熱が得られる。また、内側面には、従来の素材（２）が設けられているので、部屋の雰囲気を変えることがなくインテリア性に優れており、遮光性もあるので、夜間においては、部屋の灯りが外に漏れることを防ぐ。夏の強い日差しと熱を防ぎ、冬には厳しい冷気を防ぎ、共に室内の保温にも益する。
【符号の説明】
【０００９】  （１）遮断熱材、（２）従来の素材、（３）本体
【産業上の利用可能性】
【００１０】（イ）夏の強い日差しを充分遮光でき、室内の温度上昇を抑制するので、オフィスビルや一般家庭での利用価値がある。
（ロ）冬、外からの冷気を遮断して、室内の暖房効果が高まるので、寒冷地では、より利用価値がある。
（ハ）室内から見て、従来のブラインドの雰囲気を損なうことなく、インテリア性にも優れている。また、室外から見て、遮断熱材に色付けしたり、文字を入れたりすることで、宣伝用スペースとしても利用価値がある。
【図１】
0003168916.tif 000003
【手続補正書】
【提出日】平成23年4月13日(2011.4.13)
【手続補正１】
【補正対象書類名】実用新案登録請求の範囲
【補正対象項目名】請求項１
【補正方法】変更
【補正の内容】
【請求項１】
羽根やスクリーン式等の従来のブラインドの型を保持しつつ、それらブラインドの基材の外側面に、光や熱の反射性だけでなく、温熱や冷熱を保持する性質を併せ持った遮断熱材を貼り合わせたことを特徴とする遮断熱材ブラインド。
【手続補正２】
【補正対象書類名】明細書
【補正対象項目名】０００５
【補正方法】変更
【補正の内容】
【０００５】  羽根やスクリーン式等の従来のブラインドの型を保持しつつ、それらブラインドの基材の外側面に、光や熱の反射性だけでなく、温熱や冷熱を保持する性質を併せ持った遮断熱材を貼り合わせる。
以上の構成よりなる遮断熱材ブラインド。
(57)【要約】      （修正有）【課題】玄関など限られた空間で様々なタイプの靴を省スペースで収納できる構造を有したシューズホルダーを提供する。【解決手段】ビスあるいは両面テープ等で壁等に固定する基礎となる板６と該板６の両端に直角となる板２を固定し、該板２に貫通した前後方向の溝を形成するとともに前記板２の間で基礎となる板６に対し前後にスライドあるいは回転可能とした回転板１を前記溝に取り付けたネジ３により移動可能に構成する。【選択図】図１
0003168914.tif 000002
【実用新案登録請求の範囲】
【請求項１】
ビスあるいは両面テープ等で固定可能とする基礎となる板６と、その両サイドに溝７を形成した直角となる板２を固定すると共に、基礎となる板６に平行に位置しその両端に前記溝７に挿入されたネジ３により前後にスライドあるいは回転可能とした回転板１を取り付け構成されたことを特徴とするシューズホルダー。
【請求項２】
両端のネジ３により回転、スライド、固定させることで基礎となる板６との間に空間や角度が形成でき、様々なタイプの靴を保持し収納することを可能としたことを特徴とする請求項１記載のシューズホルダー。
【請求項３】
回転板１をウレタン等で包込み、上からレザーや布等で巻いて構成したことを特徴とする請求項１および２に記載のシューズホルダー。
【請求項４】
基礎となる板６の両サイドの直角に取り付けた板２の空間を利用して傘や靴べらを一緒に架けることを可能としたことを特徴とする請求項１乃至３に記載のシューズホルダー。
【考案の詳細な説明】
【技術分野】
【０００１】
本考案は、省スペースで様々なタイプの靴等を一緒に収納する為のシューズホルダーに関するものである。
【背景技術】
【０００２】
文献１のシューズボックスとして履物を保持する機能をもつ装置が提供されているが、ロングブーツのように丈の長い靴や幼児向けの丈の短い靴には不向きな装置である。また、文献２の下駄箱として靴棚を急傾斜状に設定可能とした装置が提供されているが、ロングブーツのように丈の長い靴には不適切であり、底面に埃などたまりやすいと思われる。
【先行技術文献】
【特許文献】
【０００３】
【特許文献１】実開平６−１５５４１号広報
【特許文献２】特開平７−２０４０３６号広報
【考案の概要】
【考案が解決しようとする課題】
【０００４】
従来のシューズホルダー、靴棚などは靴を水平に収納するものが一般的であり、奥行きが必要となり玄関など限られた空間で大きく場所を占めていた。
【０００５】
また、ロングブーツなど丈の長い靴を一緒に収納することは難しかった。
【０００６】
本件考案は様々なタイプの靴を省スペースで収納することを解決すべき課題としたものである。
【課題を解決するための手段】
【０００７】
本体基礎となる壁付する板とそれに付属する回転板との間隔、角度を調整し靴の甲にフィットさせ、基礎となる板との間で保持することで様々なタイプの靴を省スペースで収納することを可能にした。
【考案の効果】
【０００８】
本件考案の効果は、靴をひっかけ保持するという構造により薄型で省スペースでの収納ができるということである。
【０００９】
また、靴を挟む回転板を斜めにすることでその板にヒール部分を掛けて女性用の靴も傷つけたり変形させることなくきれいに収納することができるという効果を有するものである。
【００１０】
本件の回転板は前後にスライドする機能があり、それによっていろんな厚みの靴に対応できるという利便性がある。
【００１１】
本件考案の直角となる板には靴べら、傘などをかけるのに十分なスペースがある為玄関の小物もすっきりと収納することができる効果を有するものである。
【００１２】
また、本件考案の直角となる板にはフックをつけることにより、ブーツホルダーを使いロングブーツの収納も可能となる。
【００１３】
本件考案のシューズホルダーは壁の好きな位置に設置できるので利用者の好みで空間を利用できるという効果を有するものである。
【図面の簡単な説明】
【００１４】
【図１】本考案シューズホルダーを正面から見た図である。
【図２】回転板を立設し靴を保持させた状態を示す。
【図３】ハイヒール及び傘等を引っかけた状態を示す。
【考案を実施するための形態】
【００１５】
回転板１を前後にスライドし、斜めに回転させることで基本となる板６との間に靴５の甲の部分を挟み３のネジをしめることでその状態を保持させる。靴底は板６へ向け収納する。
【実施例１】
【００１６】
図１は、本考案シューズホルダーを正面図で１の回転板を３のネジを軸に回転、７の溝を前後にスライドさせることで１と６の板の間に靴５を保持し収納している図である。１の板が前後にスライドすることによって様々な幅の靴に対応が可能となっている。
【実施例２】
【００１７】
図２は、回転板を立設し靴を保持させた状態の使用例を横から見た図である。
【実施例３】
【００１８】
図３は、ハイヒール及び傘等を引っかけた状態を示す使用例で１の回転板を３のネジを締め斜めに固定することで靴５のかかとを１の回転板の上に掛け収納している図である。このような形で収納することにより女性用のハイヒールなどの型崩れを防ぐことができる。また、両端の板２に付属のフック４をつけることでロングブーツなど丈の長い靴の収納が可能となる。また、直角となる板２のスペースを利用して傘９等を架けることができる。
【産業上の利用可能性】
【００１９】
設置面積を狭く様々なタイプの靴を一緒に収納可能にしたシューズホルダー。
【符号の説明】
【００２０】
１.回転板
２.直角となる板
３.ネジ
４.フック
５.収納靴
６.基礎となる板
７.溝
８.ビス穴
９.傘
１０.両面テープ  
【図１】
0003168914.tif 000003
【図２】
0003168914.tif 000004
【図３】
0003168914.tif 000005
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
ビスあるいは両面テープ等で壁等に固定する基礎となる板６と該板６の両端に直角となる板２を固定し、該板２に貫通した前後方向の溝７を形成するとともに前記板２の間で基礎となる板６に対し前後にスライドあるいは回転可能とした回転板１を前記溝７に取り付けたネジ３により移動可能に構成したことを特徴とするシューズホルダー
【請求項２】
両端のネジ３により回転、スライド、固定させることで基礎となる板６との間に空間や角度が形成でき、様々なタイプの靴を保持し収納することを可能としたことを特徴とする請求項１記載のシューズホルダー。
【請求項３】
回転板１をウレタン等で包込み、上からレザーや布等で巻いて構成したことを特徴とする請求項１および２に記載のシューズホルダー。
(57)【要約】      （修正有）【課題】トッププレートにアルマイト皮膜の剥がれや変色を防ぐ３層式構造の耐熱クリア−着色アルマイトのガスコンロ用トッププレートを提供する。【解決手段】アルミニュウム板１に１層部ブラスト処理２、２層部着色アルマイト処理３、３層部耐熱クリアコーティング４の３層式構造にすることでアルミニュウムの素材を生かした着色アルマイト処理が可能になり、ガスコンロのような高温２００℃以上になるトッププレートにも使用することができる。【選択図】図１
0003168920.tif 000002
【実用新案登録請求の範囲】
【請求項１】
アルミニュウム板に１層部ブラスト処理、２層部着色アルマイト処理、３層部耐熱クリアコーティングする３層式構造の耐熱クリア−着色アルマイトのガスコンロ用トッププレート。
【考案の詳細な説明】
【技術分野】
【０００１】本発明は高温になるガスコンロ用のトッププレートに使用される、耐熱ガラストッププレートや一般耐熱テフロンプレートと異なる、アルミニュウム板の素材を生かした仕様の耐熱クリア−着色アルマイトのガスコンロ用トッププレートに関するものである。
【背景技術】
【０００２】ガスコンロ用のトッププレートは高温２００℃以上になり、アルミニュウム板に単にアルマイト処理では、トッププレートの温度が１３０℃以上でアルマイト皮膜が剥がれ変色する。従ってアルミニュウム板の素材を生かした耐熱アルマイト処理構造のトッププレートは困難である。
【発明開示】
【発明が解決しようとする課題】
【０００３】ガスコンロ用のトッププレートは高温２００℃以上になり、アルミニュウム板に単にアルマイト処理では、トッププレートの温度が１３０℃以上でアルマイト皮膜が剥がれ変色しアルミニュウム板の素材を生かした耐熱アルマイト処理構造のトッププレートは困難である。本発明は、トッププレートにアルマイト皮膜の剥がれや変色を防ぐ３層式構造の耐熱クリア−着色アルマイトのガスコンロ用トッププレートを提供する。
【課題を解決するための手段】
【０００４】アルミニュウム板▲１▼に１層部ブラスト処理▲２▼、２層部着色アルマイト処理▲３▼、３層部耐熱クリアコーティング▲４▼の３層式構造にすることでアルミニュウムの素材を生かした着色アルマイト処理が可能になり、ガスコンロのような高温２００℃以上になるトッププレートにも使用することができる耐熱クリア−着色アルマイトのガスコンロ用トッププレート。
【発明の効果】
【０００５】ガスコンロのような高温になるトッププレートに本発明の耐熱クリア−着色アルマイトのアルミニュウム製トッププレートを使用することでアルミニュウム素材特性の熱吸収と放熱効果にて冷却効果がアップし、高温２００℃以上になるトッププレートの温度が１７０℃以下になる。従って煮こぼれしてもトッププレートは焦げ難く、簡単に汚れを拭き取ることが可能になり効果に大いなるものがある。
【実施例１】
【０００６】実例では、アルミニュウム板▲１▼に１層部ブラスト処理▲２▼、２層部着色アルマイト処理▲３▼、３層部耐熱クリアコーティング▲４▼の３層式構造のトッププレート仕様にしたが用途に応じて、１層部着色アルマイト処理▲３▼、２層部耐熱クリアコーティング処理▲４▼の２層式構造のトッププレート仕様も可能である。【０００７】実施例では、アルミニュウム製のトッププレート寸法を厚み４ｍｍ、縦４００ｍｍ、横６００ｍｍにしたが、トッププレートの寸法を限定するものではない。【０００８】実施例では、アルミニュウム板、材質５０５２Ｈ３４を使用したがアルミニュウム板▲１▼の材質を限定するものではない。【０００９】実施例では、着色アルマイト処理▲３▼を、ピンク着色にしたが着色アルマイト処理のカラーを限定するものではない。【００１０】実施例では、着色アルマイト▲３▼の剥がれ変色を防止するため、アルミニュウム板▲１▼の１層部にサンドブラスト処理をおこなったが、ブラストの材質を限定するものではない。【００１１】実施例では、耐熱クリアコーティング▲４▼の耐久温度を２５０℃仕様の耐熱クリア塗装と耐熱クリアテフロンコーティングを使用したが耐熱クリアコーティングの材質を限定するものではない。
【図面の簡単な説明】
【００１２】
【図１】本発明の構造図
【符号の説明】▲１▼・・・アルミニュウム板
▲２▼・・・ブラスト処理
▲３▼・・・着色アルマイト処理
▲４▼・・・耐熱クリアコーティング
【図１】
0003168920.tif 000003